(57)【要約】【課題】半導体発光素子が配設された装置基板が点灯に伴って反ることを抑制できる照明装置を提供することにある。【解決手段】照明装置1は、装置基板2、ＬＥＤ素子21、ボンディングワイヤ25、及び透光性封止部材31を具備する。装置基板2は、複数の金属製第１の導熱部3と、各導熱部3と交互に並べられた複数の金属製第２の導熱部4と、絶縁部材5を有する。導熱部3の断面積を高さ方向一端部から他端に至るに従い次第に大きくする。導熱部4の断面積を高さ方向一端部から他端に至るに従い次第に小さくする。絶縁部材5は、導熱部3,4の高さ方向の一端面3a,4aと他端面3b,4bを覆うことなく各導熱部3,4間を埋めてこれら導熱部を接続している。装置基板2の一面に位置した各導熱部の一端面3a,4aに夫々配設されたＬＥＤ素子21をボンディングワイヤ25で電気的に接続する。封止部材31を、ＬＥＤ素子21及びワイヤ25を埋設して装置基板2に積層したことを特徴としている。【選択図】図２
2009218371.tif 000002
【特許請求の範囲】
【請求項１】
高さ方向と直交する方向の断面積が高さ方向一端部から他端に至るに従い次第に大きくなっている複数の金属製第１の導熱部、高さ方向と直交する方向の断面積が高さ方向一端部から他端に至るに従い次第に小さくなっていて、前記各第１の導熱部と交互に並べて配設された複数の金属製第２の導熱部、及び前記第１、第２の各導熱部の高さ方向一端面と他端面を覆うことなく前記第１、第２の各導熱部間を埋めてこれら導熱部を接続した絶縁部材を有した装置基板と；
この装置基板の一面に位置された前記第１、第２の各導熱部の一端面に夫々配設された半導体発光素子と；
これら半導体発光素子を電気的に接続したボンディングワイヤと；
前記半導体発光素子及び前記ボンディングワイヤを埋設して前記装置基板に積層された透光性封止部材と；
を具備したことを特徴とする照明装置。
【請求項２】
前記装置基板の他面に絶縁層を介して放熱部材が配設されていることを特徴とする請求項１に記載の照明装置。
【発明の詳細な説明】
【技術分野】
【０００１】
本発明は、複数のＬＥＤ(発光ダイオード)チップ等の半導体発光素子を発光させて照明をする照明装置に関する。
【背景技術】
【０００２】
従来、光源がＬＥＤチップである照明装置で、絶縁層を有しこの絶縁層上に複数のＬＥＤベアチップが搭載された金属ベースプリント基板と、反射板と、封止樹脂とを、この順に積層し、複数のＬＥＤベアチップを一斉に点灯させる照明装置が知られている（例えば、特許文献１参照。）。
【０００３】
この照明装置において、金属ベースプリント基板は、金属板の一面に絶縁層を２層に積層して形成されていて、絶縁層に金属の導体パターンが設けられている。このパターンに接続される複数のＬＥＤベアチップは縦横に規則正しく配列して金属ベースプリント基板に搭載されている。これらのチップの周囲は適量の蛍光体で被覆されていて、この蛍光体を用いてＬＥＤベアチップが発した光を白色光に変換するようになっている。絶縁層上に貼着されたアルミニウム製反射板は各ＬＥＤベアチップの搭載位置に対応してＬＥＤベアチップが個々に収められる複数の孔を有している。封止樹脂は、透光性のエポキシ樹脂等からなり、反射板を一括して覆った状態に設けられているとともに反射板の各孔に充填されている。
【特許文献１】特開２００４−１９３３５７号公報（段落0012-0027、0031、0036、図１−図７）
【発明の開示】
【発明が解決しようとする課題】
【０００４】
点灯時にＬＥＤベアチップは発熱するため、点灯・消灯熱に伴い封止樹脂や金属ベースプリント基板は伸び縮みする。この場合、封止樹脂の熱膨張の方が金属の熱膨張より大きいため、点灯時に照明装置全体が反る恐れが考えられる。しかし、こうした反りへの対策については特許文献１では言及されていない。
【０００５】
照明装置の基板等が熱で反ると、基板上に配設されているＬＥＤチップの光軸が微妙に傾いて、それに応じて配光が変わってしまうので、設計通りの光学特性を維持できないことが考えられる。
【０００６】
本発明の目的は、半導体発光素子が配設された装置基板が点灯に伴って反ることを抑制できる照明装置を提供することにある。
【課題を解決するための手段】
【０００７】
請求項１の発明は、高さ方向と直交する方向の断面積が高さ方向一端部から他端に至るに従い次第に大きくなっている複数の金属製第１の導熱部、高さ方向と直交する方向の断面積が高さ方向一端部から他端に至るに従い次第に小さくなっていて、前記各第１の導熱部と交互に並べて配設された複数の金属製第２の導熱部、及び前記第１、第２の各導熱部の高さ方向の一端面と他端面を覆うことなく前記第１、第２の各導熱部間を埋めてこれら導熱部を接続した絶縁部材を有した装置基板と；この装置基板の一面に位置された前記第１、第２の各導熱部の一端面に夫々配設された半導体発光素子と；これら半導体発光素子を電気的に接続したボンディングワイヤと；前記半導体発光素子及び前記ボンディングワイヤを埋設して前記装置基板に積層された透光性封止部材と；を具備したことを特徴としている。
【０００８】
請求項１の発明で、装置基板の第１、第２の導熱部は、各種の金属材料で形成できるが、熱伝導性に優れたＣｕ（銅）及びその合金等を好適に用いることができる。これら第１、第２の導熱部は、互いに平行な二辺間をつなぐとともに互いに平行でない二つの側辺の長さが等しい辺からなる等辺錐台形状、つまり、等辺円錐台形状又は等辺角錐台形状に形成され、このような導熱部はエッチング等により形成できる。これとともに、装置基板の絶縁部材には、合成樹脂例えばエポキシ樹脂を好適に用いることができ、この絶縁部材が白色を呈することは良好な光反射性能を得られる点で好ましい。請求項１の発明で、第１、第２の導熱部の一端面の夫々には少なくとも一個の半導体発光素子が配設される。
【０００９】
請求項１の発明で、半導体発光素子には、例えば青色発光をする青色ＬＥＤチップ、紫外光を発する紫外ＬＥＤチップ等を好適に用いることができるが、青色ＬＥＤチップ、赤色ＬＥＤチップ、緑色ＬＥＤチップのうちの少なくとも二種のＬＥＤチップを組み合わせて用いることも可能であり、又、半導体発光素子として有機ＥＬ素子を用いることも可能である。
【００１０】
請求項１の発明で、半導体発光素子等を外気及び湿気から遮断して照明装置の寿命低下を防ぐ透光性の封止部材には、熱硬化性の透光性合成樹脂、例えば絶縁部材と同種のエポキシ樹脂、絶縁部材と異種のシリコーン樹脂又はウレタン樹脂等を用いることができる他、透明な低融点ガラスを用いることもできる。そして、例えば発光源である半導体発光素子に青色ＬＥＤチップを用いて白色発光をする照明装置とする場合には、青色の光で励起されて黄色の光を放射する蛍光体が混ぜられた封止部材を用いればよく、或いは紫外光で励起されて赤色の光を放射する蛍光体、紫外光で励起されて緑色の光を放射する蛍光体、及び紫外光で励起されて黄色の光を放射する蛍光体が夫々混ぜられた封止部材を用いればよい。
【００１１】
請求項１の発明の照明装置は、ボンディングワイヤを介して電気的に直列接続された半導体発光素子に通電することにより、これらの素子を発光させ、その光を封止部材に透過させて外部に取出し、その取出し方向の照明を行う。
【００１２】
この点灯時に、半導体発光素子が発する熱は、装置基板の絶縁部材に妨げられることなくこの絶縁部材より格段に熱伝導率が高い金属製の導熱部を経由して、装置基板の他面(光の取出し方向とは反対側に位置された面)に導かれ、導熱部の周囲の絶縁部材及び装置基板外に放出されるので、半導体発光素子の温度上昇を抑制できる。この場合、装置基板外への放熱は、第１、第２の導熱部の他面を直接被放熱部材に接触させて実施できる他、請求項２のように広い面積の放熱部材で拡散させて放熱することもできる。
【００１３】
照明装置の点灯に伴い、装置基板の導熱部及び絶縁部材は夫々異なる熱膨張率に従って膨張する。しかし、第１、第２の導熱部が並んだ方向に沿う絶縁部材全体の断面積は、導熱部の高さ方向の任意の位置を通る各位置の断面においていずれも同じであり、これは、エッチング等により形成された第１、第２の導熱部が既述のように等辺錐台形状をなしていてそれらが交互に逆様に配設されていることにより実現されている。そのため、金属製導熱部の熱膨張率より絶縁部材の熱膨張率が高いことに基づく、導熱部と絶縁部材の膨張差に拘らず、それによる応力集中が起こり難くなるに伴い、装置基板が反ることを抑制できる。
【００１４】
請求項２の発明は、請求項１において、前記装置基板の他面に絶縁層を介して放熱部材が配設されていることを特徴としている。
【００１５】
この発明で、放熱部材は、各種の金属材料で形成できるが、熱伝導性に優れたＣｕ（銅）やＡｌ（アルミニウム）及びその合金等を好適に用いることができる。これとともに、放熱部材は、平板であっても、複数のフィンを有したものであってもよい。この発明で、絶縁層は、高い熱伝導を発揮するような絶縁材料及び厚みが選定されており、その絶縁材料としては合成樹脂又はセラミック等を用いることができる。更に、絶縁層は、放熱部材に取付けられていても、或いは、装置基板の他面（光の取出し方向とは反対側に位置された面）に取付けられていても良い。
【００１６】
この請求項２の発明では、装置基板の第１、第２の導熱部の熱を、これら導熱部と絶縁された放熱部材全体に広げて、この放熱部材から外部に放出できる。これにより、半導体発光素子の温度上昇が効果的に抑制されるので、半導体発光素子の温度過昇に起因する発光効率の低下を抑制できる。
【発明の効果】
【００１７】
請求項１の発明の照明装置によれば、半導体発光素子が配設された装置基板が点灯に伴って反ることを抑制できる。
【００１８】
請求項２の発明によれば、請求項１の発明において、更に、半導体発光素子の温度過昇に起因する発光効率の低下を抑制できる。
【発明を実施するための最良の形態】
【００１９】
図１〜図３を参照して本発明の第１実施形態を説明する。
【００２０】
図１中符号１はＬＥＤパッケージを形成する照明装置を示している。この照明装置１は、装置基板２と、放熱部材１１と、枠体１５と、パッドと、半導体発光素子例えばチップ状のＬＥＤ素子２１と、ボンディングワイヤ２５と、封止部材３１とを備えて形成されている。なお、図１では、図面の理解を容易にする都合上、各ＬＥＤ素子２１及びボンディングワイヤ２５の図示が省略されている。
【００２１】
図２に示すように装置基板２は、複数のＣｕ製第１の導熱部３と、複数のＣｕ製第２の導熱部４と、絶縁部材５を有している。
【００２２】
各第１の導熱部３は、その縦断面において、高さ方向の１/２の位置を通る水平線を基準として上下非対称でかつ左右対称ある等辺錐台形状、例えば等辺四角錐台形状をなしていて、その高さ方向と直交する方向の断面積が高さ方向一端部から他端に至るに従い次第に大きくなっている。これら第１の導熱部３の一端面３ａの面積は他端面３ｂより小さい。そして、各第１の導熱部３は、その一端面３ａを後述する光の取出し方向に向けて、一定間隔毎に並べられている。
【００２３】
各第２の導熱部４は、その縦断面において、図２に示すように高さ方向の１/２の位置を通る水平線を基準として上下非対称でかつ左右対称である台形状、第１の導熱部３と同じ大きさの等辺四角錐台形状をなしているとともに、その高さ方向と直交する方向の断面積が高さ方向一端部から他端に至るに従い次第に小さくなっている。これら第２の導熱部４の一端面４ａの面積は他端面４ｂより大きい。そして、各第２の導熱部４は、その一端面４ａを後述する光の取出し方向に向けて、一定間隔毎に並べられているとともに、第１の導熱部３と交互に配設されている。
【００２４】
したがって、第１の導熱部３と第２の導熱部４は、互いに逆様の姿勢で交互に並べられていて、図１に示すように縦横に配列されている。なお、第１の導熱部３の一端面３ａと第２の導熱部４の一端面４ａは、素子取付け面として用いられるものであって、同じ高さ位置に設けられている。これとともに、個々の一端面３ａ及び個々の一端面４ａを区別する必要がある場合には、数字を添え字として括弧書きで併記する。
【００２５】
絶縁部材５は、電気絶縁性の合成樹脂例えばエポキシ樹脂からなり、各導熱部３，４をその周囲から包むように設けられていて、隣接している第１の導熱部３と第２の導熱部４との間を埋めて、これら導熱部３，４を接続している。この照明装置１の正面側位置の絶縁部材５の一面は、第１の導熱部３の一端面３ａと第２の導熱部４の一端面４ａと同じ高さ位置にあって、これら一端面３ａ，４ａを覆っていない。同様に、照明装置１の背面側位置の絶縁部材５の他面は、第１の導熱部３の他端面３ｂと第２の導熱部４の他端面４ｂと同じ高さ位置にあって、これら他端面３ｂ，４ｂを覆っていない。
【００２６】
なお、絶縁部材５の正面側の一面を光反射面として、光の取出し性能を向上するために、成形材料であるエポキシ樹脂中に酸化アルミニウム等の白色粉末(図示しない)が混入されていて、絶縁部材５は白色を呈している。
【００２７】
図１に示すように装置基板２の正面側の一面にＣｕ製のパッド９（１）〜９（１０）が複数設けられている。パッド９（１）〜９（１０）は、装置基板２の正面側の一面に並べられた導熱部３，４の一端面３ａ，４ａがなす導熱部列に対して、この列が延びる方向の両側に配設されている。
【００２８】
すなわち、図１において一端面４ａ（１），４ａ（２）と一端面３ａ（１），３ａ（２）が交互に横一列に並べられた導熱部列の両側にパッド９(１)，９(２)が夫々設けられ、同様に一端面３ａ（３），一端面３ａ（４）と一端面４ａ（３），４ａ（４）が交互に横一列に並べられた導熱部列の両側にパッド９(３)，９(４)が夫々設けられている。これとともに、一端面３ａ（５）〜３ａ（７）と一端面４ａ（５），４ａ（６）が交互に横一列に並べられた導熱部列の両側にパッド９(５)，９(６)が夫々設けられ、同様に一端面３ａ（８）〜３ａ（１０）と一端面４ａ（７），４ａ（８）が交互に横一列に並べられた導熱部列の両側にパッド９(６)，９(７)が夫々設けられている。更に、一端面４ａ（９），４ａ（１０）と一端面３ａ（１１），３ａ（１２）が交互に横一列に並べられた導熱部列の両側にパッド９(７)，９(８)が夫々設けられ、同様に一端面４ａ（１１），４ａ（１２）と一端面３ａ（１３），３ａ（１４）が交互に横一列に並べられた導熱部列の両側にパッド９(９)，９(１０)が夫々設けられている。
【００２９】
一端面３ａ（３），３ａ（４），４ａ（３），４ａ（４）がなした導熱部列の一端側に配設されたパッド９（４）は、一端面３ａ（５）〜３ａ（７），４ａ（５），４ａ（６）がなした導熱部列の一端側に一体に延出して配設されている。同様に、一端面３ａ（８）〜３ａ（１０），４ａ（７），４ａ（８）がなした導熱部列の一端側に配設されたパッド９（７）は、一端面４ａ（９），４ａ（１０），３ａ（１１），３ａ（１２）がなした導熱部列の一端側に一体に延出して配設されている。
【００３０】
図１に示すように第２の導熱部４の一端面４ａ（１）の近傍に配設されたパッド９（１）は＋側の電極１０ａに接続され、一端面３ａ（１４）の近傍に配設されたパッド９(１０)は−側の電極１０ｂに接続されている。
【００３１】
次に、装置基板２の製法について説明する。まず、所定厚みのＣｕ板をエッチングして、このＣｕ板の一面に等辺四角錐台形状の導熱凸部７が所定間隔で形成された凸部付き加工銅板６を用意する。図３（Ａ）（Ｂ）中符号６ａは、導熱凸部７同士を一体につないでいるベース板部を示している。なお、前記エッチングにより形成された導熱凸部７のベース板部６ａ側の端部は、裾野状に形成されてベース板部６ａに対しなだらか連続するが、図３（Ａ）（Ｂ）には、前記端部の周面がベース板部６ａとの間に鈍角を作って連続するように、前記端部の周面に研磨加工が施された状態を示している。
【００３２】
この後、図３(Ａ）に示すように２枚の凸部付き加工銅板６を互いに逆様にして、その導熱凸部７が突出されている面を対向させた状態で、これら２枚の凸部付き加工銅板６を図示しない冶具等で位置決めするとともに接近させて、導熱凸部７を図３（Ｂ）に示すように互いに噛合うように配設する。これにより、２枚の凸部付き加工銅板６の各導熱凸部７が互いに逆様の姿勢で交互に並べられる。
【００３３】
次に、この状態のまま２枚の凸部付き加工銅板６間に、未硬化のエポキシ樹脂製の絶縁部材５を充填してから、この絶縁部材５を加熱して硬化する。
【００３４】
最後に、２枚の凸部付き加工銅板６のベース板部６ａの不要部分をエッチング処理により除去して、パッド９（１）〜９（１０）に相当する部分を残す。以上の手順により、既述の構成の装置基板２が形成される。なお、ベース板部６ａの全てを研摩加工で除去した後、各一端面３ａ，４ａにレジストを施した後に、パッド９をめっき処理により設けることもできる。
【００３５】
放熱部材１１として、本実施形態では図２に示すように金属ベース１１ａの一面全体に絶縁層１１ｂを積層して形成された金属基板が用いられている。金属ベース１１ａは、熱伝導性に優れた金属例えばＣｕの板からなる。絶縁層１１ｂは電気絶縁材料例えば合成樹脂製である。絶縁層１１ｂは、金属ベース１１ａより薄く例えば100μｍの厚みで、かつ、２〜１０Ｗ/Ｋ・ｍ例えば４Ｗ/Ｋ・ｍの高い熱伝導性能を有している。
【００３６】
この放熱部材１１は、装置基板２より大きく作られていて、照明装置１の後述する光の取出し方向とは反対側に位置された装置基板２の面、つまり、前記他端面３ｂ，４ｂが露出された他面に絶縁層１１ｂを接して装置基板２に積層されている。放熱部材１１は、その裏面、つまり絶縁層２ｂで覆われていない金属ベース１１ａの面１１ｃを、被放熱部材例えば図示しない照明器具の金属製器具本体等に面接触させて取付けられるようになっている。そのために、図１等に示すように放熱部材１１の周部には、ねじ等の固定具が通される複数の取付け部１２が例えば９０度に設けられている。各取付け部１２は例えば孔や図示したＵ字形の切り欠きからなる。
【００３７】
枠体１５は、一個一個又は数個の後述するＬＥＤ素子２１毎に個別に設けられるものではなく、全てのＬＥＤ素子２１を包囲する単一のものである。枠体１５は、例えば図１に示すように放熱部材１１より小さくこの放熱部材１１と略相似形をなしている。枠体１５は放熱部材１１上に接着されていて、装置基板２を包囲している。枠体１５の内周面は光反射面となっている。そのために、例えば枠体１５の成形材料である合成樹脂中に酸化アルミニウム等の白色粉末(図示しない)が混入されている。この枠体１５は、光の取出し方向（図２では上方向）に取出された光を、照射対象に対して制御をするレンズ等の配光制御部材(図示しない)の取付け部として、利用することも可能である。
【００３８】
ＬＥＤ素子２１は例えば青色の光を発する青色ＬＥＤチップからなる。このＬＥＤ素子２１は、例えばダブルワイヤー型であって、図２で代表して示すように透光性を有する素子基板２２の一面に窒化物半導体を用いてなる半導体発光層２３を積層して形成されている。素子基板２２は例えばサファイア基板で作られている。
【００３９】
これらのＬＥＤ素子２１は、各導熱部３の一端面３ａ及び各導熱部４の一端面４ａの夫々に、素子基板２２の前記一面と平行な他面を接着剤例えばシリコーン樹脂からなるきわめて薄いダイボンド材(図示しない)を用いてダイボンドされている。それによって、各ＬＥＤ素子２１はそれが固定された導熱部３，４に放熱可能に設けられている。ＬＥＤ素子２１の半導体発光層２３と導熱部３，４との間の絶縁耐圧は、ダイボンド材だけではなく、このダイボンド材よりもはるかに厚いサファイア製の素子基板２２で確保されている。
【００４０】
図２で代表して示すように前記各導熱部３，４上に配設されたＬＥＤ素子２１同士は、ワイヤボンディングにより設けられたボンディングワイヤ２５で電気的に直列に接続されている。なお、これらＬＥＤ素子２１の直列回路を形成するにあたり、ＬＥＤ素子２１とこれに隣接されたパッド９（１）〜９（１０）、及び一部のパッド９(２)，９(３)同士、パッド９(５)，９(６)同士、パッド９(８)，９(９)同士も、夫々ボンディングワイヤ２５で電気的に直列に接続される。したがって、全てのＬＥＤ素子２１が直列接続された直列回路に、その両端に接続された電極１０ａ，１０ｂを通じて直流電源回路(図示しない)の電圧が印加されることにより、全てのＬＥＤ素子２１が一斉に点灯されて面状の発光が得られるようになっている。
【００４１】
封止部材３１は、枠体１５内に未硬化の状態で注入された後硬化されたものであり、ＬＥＤ素子２１等を有した前記直列回路を埋めている。封止部材３１は、熱硬化性の透光性材料例えば透明シリコーン樹脂からなり、その内部に蛍光体(図示しない)が混入されている。本実施形態では白色系の照明光を得るために、ＬＥＤ素子２１が発する光(具体的に青色の光)の一部により励起されて、このＬＥＤ素子２１が発する光とは異なる色の光(具体的には黄色の光)を放射する蛍光体が用いられ、この蛍光体は好ましくは略均一に分散した状態で封止部材３１内に混入されている。
【００４２】
この組み合わせにより、照明装置１の点灯によりＬＥＤ素子２１の半導体発光層２３から放出された青色の光の一部が蛍光体に当たることなく封止部材３１を通過する一方で、青色の光が当たった蛍光体が励起されて黄色の光を放射し、この黄色の光が封止部材３１を通過するので、これら補色関係にある二色の光の混合によって照明装置１は白色光を図２中上方向に照射して照明を行うことができる。
【００４３】
この点灯時に各ＬＥＤ素子２１が発する熱は、絶縁部材５に妨げられることなく、この絶縁部材５より１００倍程度も熱伝導率が高い導熱部３，４を経由し、更に、装置基板２より面積が大きい放熱部材１１の金属ベース１１ａに、絶縁層１１ｂを経由して伝導され、この金属ベース１１ａ全体に広げられて外部に放出される。このようにＬＥＤ素子２１の熱が高効率で放熱部材１１を通って外部に放出されるので、各ＬＥＤ素子２１の温度上昇が効果的に抑制され、各ＬＥＤ素子２１の温度を設計通りに維持できる。そのため、各ＬＥＤ素子２１の発光効率の低下を抑制できる。
【００４４】
以上の点灯に伴い、装置基板２の導熱部３，４及び絶縁部材５は夫々異なる熱膨張率に従って膨張する。
【００４５】
しかし、第１の導熱部３と第２の導熱部４が交互に並んだ方向に沿う絶縁部材５全体の断面積は、導熱部の高さ方向の任意の位置を通る各位置の断面においていずれも同じである。これは、エッチング等により形成された第１の導熱部３、第２の導熱部４が既述のように等辺四角錐台方状をなしていてそれらが交互に逆様に配設されていることにより実現されている。
【００４６】
そのため、導熱部３，４の熱膨張率より絶縁部材５の熱膨張率が高いことに基づく、これら導熱部３，４と絶縁部材５の膨張差に拘らず、それによる応力集中が起こり難くなるに伴い、装置基板２が反ることを抑制できる。このことは、装置基板２に放熱部材１１が接続されていてもいなくても実現できる。したがって、装置基板２の一面上に配設されている各ＬＥＤ素子２１の光軸が微妙に傾かないようにできるに伴い、設計通りの光学特性を維持できる。更に、装置基板２の外が抑制されることにより、この装置基板２と放熱部材１１との密着性が維持されることに伴い、放熱部材１１を用いての良好な放熱性能も維持できる。
【００４７】
なお、これに対して、例えば第２の導熱部がない構成においては、等辺角錐台形状をなしていて互いに隣接した第１の導熱部３間を埋めた絶縁部材５全体の断面積が、封止部材３１側に近付く程次第に大きくなるので、点灯に伴う絶縁部材５の熱膨張は、封止部材３１側程ほど大きく、この逆に封止部材３１から離れるほど小さくなる。したがって、それによる応力集中が起こり易く、装置基板２が反る可能性が高まる。
【００４８】
更に、前記構成の装置基板２は、既述の形状の導熱部３，４が互いに逆様となって交互に配設されているので、導熱部３，４に電位が与えられた場合に、隣接した第１の導熱部３と第２の導熱部４との間の絶縁距離を、装置基板２の厚み方向の各部で等しくできる。なお、例えば前記のように第２の導熱部がない構成においては、隣接する導熱部間の絶縁距離が、放熱部材１１側ほど狭く、これからＬＥＤ素子２１側に近付くほど広くなり、その最短の距離で所定の絶縁を確保しなければならないので、導熱部間の距離が大きくなる。つまり、複数の導熱部の配設ピッチが大きいので、ＬＥＤ素子２１を高密度に配設するには不利である。しかし、前記装置基板２は、互いに逆様となって交互に配設されて隣接している導熱部３，４間の最短の絶縁距離が装置基板２の厚み方向の各部で等しい構成であるので、各導熱部３，４の配設ピッチを小さくできるに伴い、ＬＥＤ素子２１を高密度に配設できる。
【００４９】
しかも、互いに逆様となって隣接されている導熱部３，４間の距離が一定であることにより、これら導熱部３，４間に絶縁上必要な最短の距離を確保しつつ、導熱部３，４間を埋めて設けられた絶縁部材５の使用量を、少なくできる。このため、導熱部３，４の熱を受けて温度上昇する絶縁部材５全体の熱膨張が装置基板２に及ぼす影響を軽減できる。この点でも、装置基板２の反りを抑制するのに寄与できる。
【００５０】
以上のように複数のＬＥＤ素子２１が配設された前記構成の装置基板２は、その剛性が高く、点灯時に反りを生じ難いとともに、所定の絶縁を確保しつつＬＥＤ素子２１を高密度に配設できる。
【００５１】
又、前記構成の照明装置１では、その製造において、照明装置１全体の剛性を高めるために用いた装置基板２の正面側（光の取出し側）で、ボンディングワイヤ２５を用いて複数のＬＥＤ素子２１を電気的に接続できる。このため、狭く小さい孔内でワイヤボンディングをする必要がなく、略同じ高さでボンディングワイヤ２５を配設できる。したがって、ボンディングワイヤ２５を用いてのＬＥＤ素子２１の電気的接続が容易で、生産性を向上できる。
【００５２】
図４は本発明の第２実施形態を示している。第２実施形態は、以下説明する事項以外は、図示されない事項を含めて第１実施形態と同じであるので、第１実施形態と同じ部分には同一符号を付してその説明を省略する。
【００５３】
第２実施形態は、ＬＥＤ素子同士の電気的接続の仕方等が第１実施形態と異なる。すなわち、第２実施形態では、各ＬＥＤ素子２１に、ダブルワイヤー型ではなく、素子の両面に電極を有したシングルワイヤー型のものが用いられていて、これらのＬＥＤ素子２１は各導熱部３，４に夫々フリップチップ実装されている。そして、図４において上側に位置された素子電極を、このＬＥＤ素子２１に隣接した他のＬＥＤ素子２１がフリップチップ実装された導熱部３又は４にボンディングワイヤ２５で接続している。そして、こうした接続を繰り返えして複数のＬＥＤ素子２１を直列に接続している。これにより、各導熱部３，４に電位が与えられている。
【００５４】
又、第２実施形態では、各導熱部３，４の小径部側の端部に張り出し部３ｃ、４ｃが形成され、これらは絶縁部材５に埋められている。このため、第２の導熱部４の張り出し部４ｃは絶縁部材５に対するストッパーとして機能する。これにより、照明装置１の点灯・消灯に伴う装置基板２の膨張収縮で、第２の導熱部４が絶縁部材５から抜け外れる恐れをなくすことができる。以上説明した事項以外は第１実施形態と同じである。
【００５５】
したがって、この第２実施形態においても、第１実施形態で説明した理由によって、本発明の課題を解決できる。
【図面の簡単な説明】
【００５６】
【図１】本発明の第１実施形態に係る照明装置を一部切欠いて示す正面図。
【図２】図１の照明装置の一部を拡大して示す断面図。
【図３】(Ａ)(Ｂ)は図１の照明装置の装置基板の製造手順を順に示す断面図。
【図４】本発明の第２実施形態に係る照明装置を示す図２相当の断面図。
【符号の説明】
【００５７】
１…照明装置、２…装置基板、３…第１の導熱部、３ａ…第１の導熱部の一端面、３ｂ…第１の導熱部の他端面、４…第２の導熱部、４ａ…第２の導熱部の一端面、４ｂ…第２の導熱部の他端面、５…絶縁部材、１１…放熱部材、１１ａ…金属ベース、１１ｂ…絶縁層、２１…ＬＥＤ素子(半導体発光素子)、２５…ボンディングワイヤ、３１…封止部材
【図１】
2009218371.tif 000003
【図２】
2009218371.tif 000004
【図３】
2009218371.tif 000005
【図４】
2009218371.tif 000006